【手続補正書】
【提出日】平成18年3月23日(2006.3.23)
【手続補正１】
【補正対象書類名】明細書
【補正対象項目名】全文
【補正方法】変更
【補正の内容】
【書類名】      明細書
【発明の名称】  スピーカスタンド、スピーカ装置、及びスピーカの取付方法
【特許請求の範囲】
【請求項１】  スピーカを載置可能なスピーカ載置部を有すると共に、該ス
ピーカ載置部の下方にスピーカを吊り下げ可能な空間が形成されている、スピー
カを支持する支持手段から構成され、
該支持手段にスピーカを吊り下げるための吊下手段が装備されていることを特
徴とするスピーカスタンド。
【請求項２】  請求項１記載のスピーカスタンドと、
該スピーカスタンドの前記スピーカ載置部に載置可能、又は前記吊下手段を用
いて前記スピーカ載置部の下方に吊り下げ可能なスピーカとを含んで構成されて
いることを特徴とするスピーカ装置。
【請求項３】  スピーカを吊り下げ可能な空間が形成されていると共に、前
記スピーカを吊り下げるための吊下手段が装備された、前記スピーカを支持する
支持手段から構成されるスピーカスタンドと、
該スピーカスタンドの前記吊下手段を用いて吊り下げ可能なスピーカとを含ん
で構成されていることを特徴とするスピーカ装置。
【請求項４】  前記支持手段が、前記吊下手段を用いて吊り下げられたスピ
ーカの出力面の前方が開放されるように構成されているものであることを特徴と
する請求項３記載のスピーカ装置。
【請求項５】  スピーカを吊り下げ可能な空間が形成されているスピーカス
タンドへのスピーカの取付方法であって、
前記スピーカスタンドに設けられた、前記スピーカを吊り下げるための吊下手
段を用いて、前記スピーカを前記スピーカスタンドに吊り下げた状態に取り付け
ることを特徴とするスピーカの取付方法。
【発明の詳細な説明】
【０００１】
【発明の属する技術分野】
本発明はスピーカスタンド、スピーカ装置、及びスピーカの取付方法に関し、
より詳細にはスピーカ等の音響機器を設置することのできるスピーカスタンド、
スピーカ装置、及びスピーカスタンドへのスピーカの取付方法に関する。
【０００２】
【従来の技術】
従来、ホームオーディオ用のスピーカ（磁気回路部と振動板とを含んで構成さ
れるスピーカユニットがキャビネット（エンクロージャーとも言う）に取り付け
られたもの）は、オーディオラックやスピーカ用スタンド等に据え置かれるよう
になっていた。前記スピーカ用スタンドには、台型、Ｈ型、ブロック型、三脚型
等種々の形態のものが知られているが、これらはいずれもスピーカをスピーカ用
スタンドの上に載せて使用するものであった。
【０００３】
また、天井や壁面にスピーカを配設することのできる吊り下げおよび壁掛けタ
イプのスピーカ用スタンドも提案されている（例えば、下記の特許文献１参照）
。
【特許文献１】
特開平１１−４６３９２号公報
【０００４】
【発明が解決しようとする課題】
しかしながら、従来のスピーカ用スタンドは、スピーカをスタンドの上に載せ
て使用するだけの機能しかなく、スピーカの配設位置（高さ等）を聴取者のリス
ニングポイントに応じて変更したい等の聴取者ニーズに応えられるものではなく
、スピーカの設置方法のバリエーションに欠けているという課題があった。
【０００５】
また、スピーカをスピーカ用スタンドの上に載せた状態や、上記特許文献１に
おけるスピーカに固定される固定部材やアーム等を介して天井に吊り下げた状態
では、スピーカの振動が直接スタンドや固定部材やアームに伝わってしまうため
にスピーカ自体の振動を取り除くことができず、音質が劣化してしまうという課
題があった。
【０００６】
また、スピーカをスピーカ用スタンドの上に載せた状態では、安定性が悪いた
めに、地震等の揺れに弱く、比較的弱い揺れでもスピーカ用スタンドが転倒、も
しくはスピーカのみ落下してしまうこともあり、従来のスピーカ用スタンドは、
地震等の比較的大きな揺れに対して転倒や落下を防止する効果が低いという課題
があった。
【０００７】
本発明は上記課題に鑑みなされたものであって、聴取者のリスニング環境や好
み等に応じてスピーカの設置位置を適宜変更することができ、また、スピーカの
振動を外部に伝えることなく音質の良い出力が行えるようにスピーカを設置する
ことができ、また、地震等の揺れに対する転倒防止効果を高めることのできるス
ピーカスタンド、スピーカ装置、及びスピーカスタンドへのスピーカの取付方法
を提供することを目的としている。
【０００８】
【課題を解決するための手段及びその効果】
上記目的を達成するために本発明に係るスピーカスタンド（１）は、スピーカ
を載置可能なスピーカ載置部を有すると共に、該スピーカ載置部の下方にスピー
カを吊り下げ可能な空間が形成されている、スピーカを支持する支持手段から構
成され、該支持手段にスピーカを吊り下げるための吊下手段が装備されているこ
とを特徴としている。
【０００９】
上記スピーカスタンド（１）によれば、前記スピーカ載置部にスピーカを据え
置いたり、前記吊下手段を用いてスピーカを前記スピーカ載置部下方に吊り下げ
て配設することができる。したがって、据え置き又は吊り下げの２種類の設置方
法から聴取者のリスニング環境や好み等に応じて、設置方法を適宜選択すること
ができるようになり、スピーカの設置位置のバリエーションを増やすことができ
る。
【００１０】
また、スピーカを吊り下げて設置、すなわち、スピーカを前記スピーカ載置部
下方に前記吊下手段を介して浮遊状態にさせることにより、前記スピーカの不要
振動が前記支持手段に直接伝わらなくなるため、前記不要振動による音の濁りを
抑制することができ、前記スピーカから出力される音質を向上させることができ
る。
【００１１】
さらに、スピーカを吊り下げて設置すると、スピーカの重心位置が低くなると
ともに前記吊下手段により重心位置のバランスが取られるので、地震等の大きな
揺れが生じたときに、前記吊下手段により揺れが吸収され、スピーカ自体の重心
位置の変動を抑制することができ、地震等による大きな揺れが生じたときに転倒
する危険性を小さくすることができ、スピーカの転倒防止効果を高めることがで
きる。
【００１２】
なお、前記吊下手段には、金属製のワイヤ、化学繊維など、スピーカを吊り下
げるのに十分な耐久性を備えた糸状部材を使用するものが好ましい。さらに、前
記糸状部材には、スピーカ自体の振動を効率よく吸収できるようなゴム等の弾性
部材をその一部又は全部に使用してもよい。
【００１３】
また、本発明に係るスピーカ装置（１）は、上記スピーカスタンド（１）と、
該スピーカスタンドの前記スピーカ載置部に載置可能、又は前記吊下手段を用い
て前記スピーカ載置部の下方に吊り下げ可能なスピーカとを含んで構成されてい
ることを特徴としている。
上記スピーカ装置（１）によれば、上記スピーカスタンド（１）と略同様の効
果を得ることができるスピーカ装置を実現することができる。
【００１４】
また、本発明に係るスピーカ装置（２）は、スピーカを吊り下げ可能な空間が
形成されていると共に、前記スピーカを吊り下げるための吊下手段が装備された
、前記スピーカを支持する支持手段から構成されるスピーカスタンドと、該スピ
ーカスタンドの前記吊下手段を用いて吊り下げ可能なスピーカとを含んで構成さ
れていることを特徴としている。
【００１５】
上記スピーカ装置（２）によれば、前記吊下手段を介してスピーカを前記支持
手段に吊り下げて配設することができる。したがって、前記支持手段に前記吊下
手段を介してスピーカを前記支持手段に浮遊状態で配設させることができ、前記
スピーカの不要振動が前記支持手段に直接伝わらなくなるため、前記不要振動に
よる音の濁りを抑制することができ、前記スピーカから出力される音質を向上さ
せることができる。
【００１６】
さらに、スピーカを吊り下げて設置すると、スピーカの重心位置が低くなると
ともに前記吊下手段により重心位置のバランスが取られるので、地震等の大きな
揺れが生じたときに、前記吊下手段により揺れが吸収され、スピーカ自体の重心
位置の変動を抑制することができ、地震等による大きな揺れが生じたときに転倒
する危険性を小さくすることができ、スピーカの転倒防止効果を高めることがで
きる。
【００１７】
また、本発明に係るスピーカ装置（３）は、上記スピーカ装置（２）において
、前記支持手段が、前記吊下手段を用いて吊り下げられたスピーカの出力面の前
方が開放されるように構成されているものであることを特徴としている。
上記スピーカ装置（３）によれば、前記スピーカから出力される音の広がりが
妨げられることのない形態で前記スピーカを吊り下げ支持することができる。
【００１８】
また、本発明に係るスピーカの取付方法（１）は、スピーカを吊り下げ可能な
空間が形成されているスピーカスタンドへのスピーカの取付方法であって、前記
スピーカスタンドに設けられた、前記スピーカを吊り下げるための吊下手段を用
いて、前記スピーカを前記スピーカスタンドに吊り下げた状態に取り付けること
を特徴としている。
上記スピーカの取付方法（１）によれば、上記スピーカ装置（２）と略同様な
効果を得ることが可能な取付方法を実現することができる。
【００１９】
【発明の実施の形態】
以下、本発明に係るスピーカスタンド、スピーカ装置、及びスピーカの取付方
法の実施の形態を図面に基づいて説明する。図１は、実施の形態（１）に係るス
ピーカスタンドを模式的に示した図であり、（ａ）〜（ｃ）は、スピーカ１を天
板部１１下方に吊り下げて設置したときの図であり、（ａ）は平面図、（ｂ）は
正面図、（ｃ）は側面図を示している。また、（ｄ）はスピーカ１を天板部１１
上面に設置したときの正面図を示している。
【００２０】
スピーカスタンド（音響機器用スタンド）１０は、平面視逆Ｕ形状の天板部１
１と、天板部１１にねじ止め等の方法により接続された３本の円筒状の脚部１２
とを含んで構成されている。天板部１１と脚部１２とは、天然木や合板等の木材
、アルミや軽金属等の金属、プラスチック、又はカーボンファイバーなどから構
成されている。
【００２１】
天板部１１の平面視略中央部分には、スピーカ１を吊り下げる金属製のワイヤ
１３を取り付けるための取付孔１１ａが３箇所形成されている。また、天板部１
１上面は、スピーカ１を据え置くことができるスピーカ載置部１１ｂになってい
る。
【００２２】
また、脚部１２は、大小２本の筒体が嵌合されたものから構成され、脚部１２
の各々には、ストッパ１２ｂを含むスライド機構１２ａが設けられており、前記
２本の筒体をスライドさせることにより天板部１１の高さを任意に調節すること
ができるようになっている。
【００２３】
このようにスピーカスタンド１０は、天板部１１上面のスピーカ載置部１１ｂ
にスピーカ１を据え置ける機能と、天板部１１下方にスピーカ１を吊り下げて設
置できる機能とを備えている。
【００２４】
また、スピーカ１は、スピーカユニット（図示せず）が内蔵された卵形状の本
体部１ａと、本体部１ａと一体的に形成されたスタンド部１ｂとから構成されて
いる。スタンド部１ｂの底面には、天板部１１の取付孔１１ａを通して吊り下げ
られたワイヤ１３の先端部を取り付けるためのワイヤ取付孔（図示せず）が形成
されている。なお、本実施の形態で使用されているスピーカ１は、タイムドメイ
ン（時間領域）理論に基づいて設計されたものであり、スピーカユニットがグラ
ンドアンカー（図示せず）により支持され、スピーカユニットとエンクロージャ
ーとが接触しないようにフローティング構造が採用されたものである。もちろん
、ごく一般的な周波数領域理論に基づいて設計されたスピーカを使用してもよい
。
【００２５】
次にスピーカスタンド１０へのスピーカ１の設置方法について説明する。
まず、天板部１１下方にスピーカ１を吊り下げて設置する場合、付属されてい
る３本のワイヤ１３の各々を天板部１１に形成された３つの取付孔１１ａのうち
の２つをまたぐようにそれぞれ通し（図１（ａ）参照）、取付孔１１ａを通して
吊り下げられたワイヤ１３の各々の両端部をスピーカ１のスタンド部１ｂに設け
られているワイヤ取付孔にバランス等（スピーカ出力面の向き等）を考慮して取
り付ける（図１（ｂ）、（ｃ）参照）。
また、天板部１１上面にスピーカ１を設置する場合、スピーカ１のスタンド部
１ｂをスピーカ載置部１１ｂに据え置く（図１（ｄ）参照）。                
【００２６】
上記実施の形態（１）に係るスピーカスタンド１０によれば、天板部１１のス
ピーカ載置部１１ｂにスピーカ１を据え置いたり、取付孔１１ａにワイヤ１３を
取り付けてスピーカ１を天板部１１下方に吊り下げて設置することができる。し
たがって、据え置き又は吊り下げの２種類の設置方法から聴取者のリスニング環
境や好み等に応じて、設置方法を適宜選択することができるようになり、スピー
カ１の設置位置のバリエーションを増やすことができる。
【００２７】
また、スピーカ１を吊り下げて設置、すなわち、スピーカ１を天板部１１下方
にワイヤ１３を介して浮遊状態にさせることにより、スピーカ１の不要振動が天
板部１１に直接伝わらなくなるため、前記不要振動による音の濁りを抑制するこ
とができ、スピーカ１から出力される音質を向上させることができる。
【００２８】
さらに、スピーカ１を吊り下げ設置すると、スピーカ１の重心位置が低くなる
とともにワイヤ１３により重心位置のバランスが取られるので、地震等の大きな
揺れが生じたときに、ワイヤ１３により揺れが効果的に吸収され、スピーカ１自
体の重心位置の変動を抑制することができ、地震等による大きな揺れが生じたと
きに転倒する危険性を小さくすることができ、スピーカ１の転倒防止効果を高め
ることができる。
【００２９】
なお、上記実施の形態（１）に係るスピーカスタンド１０では、吊下げ用部材
として金属製のワイヤ１３が使用されているが、その他化学繊維など、スピーカ
１を吊り下げるのに十分な耐久性を備えた糸状部材を使用してもよい。さらに、
前記糸状部材には、スピーカ自体の振動を効率よく吸収できるようなゴム等の弾
性部材をその一部（例えば、ワイヤ１３を弾性部材で覆ったものなど）又は全部
に使用することにより、スピーカ１の不要振動をより一層伝えにくいようにする
ことができる。
【００３０】
また、実施の形態（１）に係るスピーカスタンド１０では、脚部１２が天板部
１１に開いた状態のまま固定されている場合について説明したが、別の実施の形
態では、脚部１２を開閉できる構造としてもよい。
【００３１】
また、実施の形態（１）に係るスピーカスタンド１０では、天板部１１として
平面視Ｕ形状のもの使用しているが、天板部１１の形状は、スピーカ１を据え置
くことのできる形状であればどのような形状でもよく、脚部１２の本数やスピー
カ１の大きさ等を考慮して適宜設定すればよい。
【００３２】
図２は、実施の形態（２）に係るスピーカスタンドを模式的に示した図であり
、（ａ）〜（ｃ）は、スピーカ１を天板部１１下方に吊り下げ設置したときの図
であり、（ａ）は平面図、（ｂ）は正面図、（ｃ）は側面図である。但し実施の
形態（２）に係るスピーカスタンド１０Ａの構成については、天板部１１Ａと、
脚部１２Ａとを除いて図１に示したスピーカスタンド１０と略同様であるため、
天板部１１Ａと、脚部１２Ａとには異なる符号を付し、その他の同一機能を有す
る構成部品には同一符号を付して、その説明を省略する。
【００３３】
実施の形態（２）に係るスピーカスタンド１０Ａが実施の形態（１）に係るス
ピーカスタンド１０と相違するのは、実施の形態（１）に係るスピーカスタンド
１０では、天板部１１に設けられる吊下げ用部材取付手段として取付孔１１ａが
形成されているが、実施の形態（２）に係るスピーカスタンド１０Ａでは、前記
吊下げ用部材取付手段として掛止部１１ｃが設けられている点と、脚部１２Ａに
、耐震性を一層高めるための振動吸収部材１２ｃが設けられている点とにある。
【００３４】
スピーカスタンド１０Ａは、平面視逆Ｕ形状の天板部１１Ａと、天板部１１Ａ
に接続された３本の円筒状の脚部１２Ａとを含んで構成されている。天板部１１
Ａ下面側略中央部分には、ワイヤ１３を取り付けるための掛止部１１ｃが３箇所
設けられている。掛止部１１ｃは、例えば、金属製のフック等から構成されてお
り、天板部１１Ａの下面側からねじ止めされるようになっている。
【００３５】
また、脚部１２Ａの各々の床面との接触部分には、振動吸収部材１２ｃが設け
られている。振動吸収部材１２ｃは、地震等による揺れに対して、揺れによる振
幅を吸収できる材質のものから構成されており、例えば、振動吸収性のあるバネ
、ゴム、又は樹脂などの弾性体が採用される。
【００３６】
次にスピーカスタンド１０Ａへのスピーカ１の取り付け方法について説明する
。なお、天板部１１Ａ上面へのスピーカ１の取り付け方法は、実施の形態（１）
に係るスピーカスタンド１０と同様であるのでここでは、天板部１１下方にスピ
ーカ１を吊り下げて設置する場合についてのみ説明する。
【００３７】
天板部１１Ａ下面に設けられた３箇所の掛止部１１ｃの各々に、ワイヤ１３の
一端を取り付け、各ワイヤ１３の他端をスピーカ１のスタンド部１ｂに設けられ
たワイヤ取付孔にバランス等（スピーカ出力面の向き等）を考慮して取り付ける
（図２（ｂ）、（ｃ）参照）。
【００３８】
上記実施の形態（２）に係るスピーカスタンド１０Ａによれば、掛止部１１ｃ
にワイヤ１３を掛止させることにより、スピーカ１を天板部１１Ａ下方にワイヤ
１３を介して簡単かつ確実に配設することができる。また、上記実施の形態（１
）に係るスピーカスタンド１０のように取付孔１１ａが形成されていないので、
天板部１１Ａの外観を良くすることができ、また、スピーカスタンド１０と比べ
て約半分の長さのワイヤ１３でスピーカ１を吊り下げて設置することができる。
【００３９】
図３は、実施の形態（３）に係るスピーカスタンドを模式的に示した図であり
、（ａ）〜（ｃ）は、スピーカ１を天板部１１Ｂ下方に吊り下げて設置したとき
の図であり、（ａ）は平面図、（ｂ）は正面図、（ｃ）は側面図を示している。
但し実施の形態（３）に係るスピーカスタンド１０Ｂの構成については、天板部
１１Ｂと、脚部１２Ｂとを除いて図１に示したスピーカスタンド１０と略同様で
あるため、ここでは天板部１１Ｂと、脚部１２Ｂとには異なる符号を付し、その
他の同一機能を有する構成部品には同一符号を付して、その説明を省略する。
【００４０】
実施の形態（３）に係るスピーカスタンド１０Ｂが実施の形態（１）に係るス
ピーカスタンド１０と相違するのは、実施の形態（１）に係るスピーカスタンド
１０では、吊下げ用部材取付手段である取付孔１１ａが天板部１１に設けられて
いるが、実施の形態（３）に係るスピーカスタンド１０Ｂでは、前記吊下げ用部
材取付手段が脚部１２Ｂに設けられている点にある。
【００４１】
スピーカスタンド１０Ｂは、平面視逆Ｕ形状の天板部１１Ｂと、天板部１１Ｂ
に接続された３本の筒形状の脚部１２Ｂとを含んで構成されている。脚部１２Ｂ
の各々には、天板部１１Ｂとの接続部近傍位置の外周部分にワイヤ１３を引っ掛
けて固定するための凹部１２ｄ（掛止部）が形成されている。
【００４２】
次にスピーカスタンド１０Ｂへのスピーカ１の取り付け方法について説明する
。なお、天板部１１Ｂ上面へのスピーカ１の取り付け方法は、実施の形態（１）
に係るスピーカスタンド１０と同様であるのでここでは天板部１１Ｂ下方にスピ
ーカ１を吊り下げて設置する場合についてのみ説明する。
【００４３】
まず、３本の脚部１２Ｂの各々に設けられた凹部１２ｄに、各ワイヤ１３の長
さ方向の略中心部分を引っ掛けるように配置して、各ワイヤ１３の両端をスピー
カ１のスタンド部１ｂに設けられたワイヤ取付孔にバランス等（スピーカ出力面
の向き等）を考慮して取り付ける（図３（ｂ）、（ｃ）参照）。このようにすれ
ばワイヤ１３にスピーカ１の重さにより内側斜め下方に荷重がかかることにより
、各凹部１２ｄに各ワイヤ１３が確実に掛止され、スピーカ１がバランスよく吊
り下げられる。
【００４４】
上記実施の形態（３）に係るスピーカスタンド１０Ｂによれば、脚部１２Ｂの
各々に吊下げ用部材取付手段としての凹部１２ｄを設けることによって、凹部１
２ｄにワイヤ１３を掛止させることができ、スピーカ１を天板部１１Ｂ下面に吊
り下げることができ、上記実施の形態（１）に係る音響器機用スタンド１０と略
同様な効果を得ることができる。
【００４５】
なお、上記実施の形態（３）に係るスピーカスタンド１０Ｂでは、掛止部とし
て凹部１２ｄが採用されているが、別の実施の形態では、前記掛止部として、天
板部１１Ｂとの接続部近傍位置の内側部分に後付けされたフックなどを採用する
こともできる。
【００４６】
図４は、実施の形態（４）に係るスピーカスタンドを模式的に示した図であり
、（ａ）〜（ｄ）は、スピーカ１を天板部１１Ｃ下方に吊り下げ設置したときの
図であり、（ａ）は平面図、（ｂ）は（ａ）におけるＢ−Ｂ線断面図、（ｃ）は
正面図、（ｄ）は（ｃ）におけるＤ−Ｄ線断面図、（ｅ）はスピーカ１が天板部
１１Ｃ上面に設置されたときの正面図を示している。
【００４７】
スピーカスタンド１０Ｃは、平面視正方形形状の天板部１１Ｃと、天板部１１
Ｃの一側面（スピーカ出力面）を除く下面側周縁部から鉛直方向に延設された側
壁部１４とを含んで構成されている。天板部１１Ｃと側壁部１４とには、合板や
天然木等の木材やプラスチックなどが採用される。
【００４８】
天板部１１Ｃ下面には、スピーカ１を吊り下げるワイヤ１３を通すための半円
弧状の取付孔１１ｄが２箇所並列に設けられている。また、天板部１１Ｃ上面は
、スピーカ１Ａを据え置くことができるスピーカ載置部１１ｂになっている。こ
のようにスピーカスタンド１０Ｃは、天板部１１Ｃ上面のスピーカ載置部１１ｂ
にスピーカ１を据え置ける機能と、天板部１１Ｃ下方に吊り下げて設置できる機
能とを備えている。
【００４９】
次にスピーカスタンド１０Ｃへのスピーカ１の取り付け方法について説明する
。なお、天板部１１Ｃ上面へのスピーカ１の取り付け方法は、実施の形態（１）
に係るスピーカスタンド１０と同様であるのでここでは、天板部１１Ｃ下方にス
ピーカ１を吊り下げて設置する場合についてのみ説明する。
【００５０】
まず、２本のワイヤ１３を取付孔１１ｄにそれぞれ通し（図４（ｂ）参照）、
取付孔１１ｄを通して吊り下げられたワイヤ１３の各々の両端部をスピーカ１の
スタンド部１ｂに設けられたワイヤ取付孔にバランス等を考慮して取り付ける（
図４（ｃ）、（ｄ）参照）。
【００５１】
上記実施の形態（４）に係るスピーカスタンド１０Ｃによれば、天板支持部が
、天板部１１Ｃの周縁部からスピーカ出力面を除いて延設された側壁部１４から
なるので、天板部１１Ｃ下面からワイヤ１３を介して吊り下げられたスピーカ１
の周囲（但し、少なくとも音声出力面は除く）を側壁部１４で囲むことができ、
スピーカスタンド１０Ｃの剛性を高めることができ、天板部１１Ｃ上に設置可能
な最大許容重量を上げることができる。
【００５２】
したがって、例えば、天板部１１Ｃの面積をさらに広くすることにより、複数
のスピーカ１を天板部１１Ｃ下面からワイヤ１３を介して吊り下げて設置可能な
構造にしたり、アンプやデッキなどの他の音響機器を天板部１１Ｃ上に搭載可能
な音響機器システムラックとして利用することもできる。
【００５３】
さらに、別の実施の形態では、天板部１１Ｃの四隅に天井取付孔を設け、天板
部１１Ｃ下面側からねじ等の取付具を前記天井取付孔に差し込んで天井に配設可
能な構造とすることもでき、さらに設置方法のバリエーションを増やすこともで
きる。
【００５４】
図５は、実施の形態（５）に係るスピーカスタンドを模式的に示した図であり
、（ａ）〜（ｃ）は、スピーカ１を天板部１１Ｄ下方に吊り下げて設置したとき
の図であり、（ａ）は平面図、（ｂ）は正面図、（ｃ）は、（ｂ）におけるＣ−
Ｃ線断面図、（ｄ）は側面図を示している。
【００５５】
但し実施の形態（５）に係るスピーカスタンド１０Ｄの構成については、天板
部１１Ｄと、側壁部１４Ａとを除いて図４に示したスピーカスタンド１０Ｃと略
同様であるため、ここでは異なる機能を有する天板部１１Ｄと、側壁部１４Ａと
には異なる符号を付し、その他の同一機能を有する構成部品には同一符号を付し
て、その説明を省略する。
【００５６】
実施の形態（５）に係るスピーカスタンド１０Ｄが実施の形態（４）に係るス
ピーカスタンド１０Ｃと相違するのは、実施の形態（４）に係るスピーカスタン
ド１０Ｃでは、吊下げ用部材取付手段である取付孔１１ｄが天板部１１Ｃに設け
られているが、実施の形態（５）に係るスピーカスタンド１０Ｄでは、前記吊下
げ用部材取付手段が側壁部１４Ａに設けられている点にある。
【００５７】
スピーカスタンド１０Ｄは、平面視正方形形状の天板部１１Ｄと、天板部１１
Ｄの一側面（スピーカ出力面）を除く下面側周縁部から鉛直方向に延設された側
壁部１４Ａとを含んで構成されている。正面視左右に向かい合う側壁部１４Ａの
各々には、天板部１１Ｄとの接続部近傍位置にワイヤ１３を取り付けるための取
付孔１４ａが外側から内側に傾斜するように設けられている。
【００５８】
次にスピーカスタンド１０Ｄへのスピーカ１の設置方法について説明する。な
お、天板部１１Ｄ上面へのスピーカ１の取り付け方法は、実施の形態（１）に係
るスピーカスタンド１０と同様であるのでここでは、天板部１１Ｄ下方にスピー
カ１を吊り下げて設置する場合についてのみ説明する。
【００５９】
正面視左右の側壁部１４Ａに設けられた各々の取付孔１４ａにワイヤ１３をそ
れぞれ通し、各ワイヤ１３の両端部をスピーカ１のスタンド部１ｂのワイヤ取付
孔にバランス等を考慮して取り付ける（図５（ｂ）、（ｃ）参照）。
【００６０】
上記実施の形態（５）に係るスピーカスタンド１０Ｄによれば、側壁部１４Ａ
に形成された取付孔１４ａにワイヤ１３を取り付けて、スピーカ１を天板部１１
Ｄ下方に吊り下げることができ、上記実施の形態（４）に係る音響器機用スタン
ド１０Ｃと略同様の効果を得ることができる。
【図面の簡単な説明】
【図１】
本発明の実施の形態（１）に係るスピーカスタンドを模式的に示した図であり
、（ａ）〜（ｃ）は、スピーカを天板部下方に吊り下げて設置したときの図であ
り、（ａ）は平面図、（ｂ）は正面図、（ｃ）は側面図である。また（ｄ）はス
ピーカを天板部上面に設置したときの正面図である。
【図２】
実施の形態（２）に係るスピーカスタンドを模式的に示した図であり、（ａ）
〜（ｃ）は、スピーカを天板部下方に吊り下げて設置したときの図であり、（ａ
）は平面図、（ｂ）は正面図、（ｃ）は側面図である。
【図３】
実施の形態（３）に係るスピーカスタンドを模式的に示した図であり、（ａ）
〜（ｃ）は、スピーカを天板部下方に吊り下げて設置したときの図であり、（ａ
）は平面図、（ｂ）は正面図、（ｃ）は側面図である。
【図４】
実施の形態（４）に係るスピーカスタンドを模式的に示した図であり、（ａ）
〜（ｃ）は、スピーカを天板部下方に吊り下げて設置したときの図であり、（ａ
）は平面図、（ｂ）は（ａ）におけるＢ−Ｂ線断面図、（ｃ）は正面図、（ｄ）
は（ｃ）におけるＤ−Ｄ線断面図である。また（ｅ）はスピーカを天板部上面に
設置した場合の正面図を示している。
【図５】
実施の形態（５）に係るスピーカスタンドを模式的に示した図であり、（ａ）
〜（ｃ）は、スピーカを天板部下方に吊り下げて設置したときの図であり、（ａ
）は平面図、（ｂ）は正面図、（ｃ）は（ｂ）におけるＣ−Ｃ線断面図、（ｄ）
は側面図である。
【符号の説明】
１  スピーカ
１０、１０Ａ〜１０Ｄ  スピーカスタンド（音響機器用スタンド）
１１、１１Ａ〜１１Ｄ  天板部
１１ａ  取付孔
１１ｂ  スピーカ載置部
１２、１２Ａ、１２Ｂ  脚部
１３  ワイヤ